(57)【要約】【課題】ボイラ再稼働時の妨げとなるパウダースケールに代表されるスラッジの微粒子を、負荷が小さくかつ廃棄物も少ない方法で捕集し、洗浄後のボイラを清浄に保持することができる、化学洗浄方法及び粒子捕集装置を提供する。【解決手段】洗浄対象物１に洗浄薬剤を注入し、洗浄対象物に固着している金属酸化物を溶解又は剥離させ、剥離した金属酸化物の粒子、溶解した金属イオン及び洗浄薬剤を含む洗浄循環液の全量を、単一の金属線条又は複数の金属線条の集合体を設置した洗浄循環液流路及び金属線条を磁化する超伝導磁石を含む粒子捕集装置３に通液して、磁化された金属線条に粒子を磁気的に吸着させて除去した後、洗浄対象物に再循環させる、ことを特徴とする化学洗浄方法。【選択図】図１
2018069131.tif 000002
【特許請求の範囲】
【請求項１】
洗浄対象物に洗浄薬剤を循環させる化学洗浄方法であって、
洗浄対象物に洗浄薬剤を注入し、洗浄対象物に固着している金属酸化物を溶解又は剥離させ、
剥離した金属酸化物の粒子、溶解した金属イオン及び洗浄薬剤を含む洗浄循環液の全量を、単一の金属線条又は複数の金属線条の集合体を設置した洗浄循環液流路及び当該金属線条を磁化する超伝導磁石を含む粒子捕集装置に通液して、磁化された当該金属線条に当該粒子を磁気的に吸着させて除去した後、洗浄対象物に再循環させる、
ことを特徴とする化学洗浄方法。
【請求項２】
前記洗浄循環液の全量を前記粒子捕集装置に通液する前に、前記洗浄循環液の全量を遠心分離処理して金属酸化物の粗粒子を除去し、金属酸化物の微粒子、金属イオン及び洗浄薬剤を含む洗浄循環液の全量を前記微粒子捕集装置に通液することを特徴とする、請求項１に記載の化学洗浄方法。
【請求項３】
前記粒子捕集装置にて捕集される粒子は、強磁性、常磁性又はこれらの組み合わせから選択される磁性粒子であることを特徴とする、請求項１または２に記載の化学洗浄方法。
【請求項４】
前記強磁性の微粒子はマグネタイトを含むことを特徴とする、請求項３に記載の化学洗浄方法。
【請求項５】
前記常磁性の微粒子はヘマタイトを含むことを特徴とする、請求項３に記載の化学洗浄方法。
【請求項６】
前記洗浄対象物は、給水処理に酸素処理を適用しているボイラであることを特徴とする、請求項１〜５のいずれか１に記載の化学洗浄方法。
【請求項７】
前記粗粒子は粒径が２０μｍよりも大きく４０μｍ以下の粒子であり、前記微粒子は粒径が２０μｍ以下の粒子であることを特徴とする、請求項２〜６のいずれか１に記載の化学洗浄方法。
【請求項８】
洗浄対象物に洗浄薬剤を循環させる化学洗浄方法において用いる粒子捕集装置であって、
単一の金属線条又は複数の金属線条の集合体を装填した洗浄循環液流路及び当該金属線条を磁化する超伝導磁石を含むことを特徴とする粒子捕集装置。
【発明の詳細な説明】
【技術分野】
【０００１】
本発明は、洗浄対象物に洗浄薬剤を循環させる化学洗浄方法及び当該化学洗浄方法において用いる粒子捕集装置に関し、特に、火力発電プラントや化学プラントなどの稼働によって発生する固形分を洗浄薬剤により溶解又は剥離させ、剥離した粒子を捕集して除去する化学洗浄方法及び粒子捕集装置に関する。
【背景技術】
【０００２】
特に発電用の貫流ボイラなど、内壁にスケールが付着して連続運転ができなくなる各種化学プラントからスケールを除去する方法として、洗浄薬剤を循環させる化学洗浄方法が一般的に採用されている。化学洗浄方法においては、洗浄対象物であるボイラに洗浄薬剤を接触させることにより、スケールの構成成分を溶解又は剥離させて除去する。剥離されたスケール（「スラッジ」ともいう）は、洗浄薬剤と共に循環する。スラッジに含まれる固形物の粒径は、スケールの構成成分に大きく依存し、ひいてはボイラの水処理に大きく依存する。
【０００３】
貫流ボイラの水処理は、ボイラ・タービン系統内での腐食発生、スケール生成及び付着、タービンへのキャリオーバなどの障害を防止するために行われており、揮発性物質処理（ＡＶＴ）及び酸素処理（中性水処理：ＮＷＴ、及び複合水処理：ＣＷＴ）がある。
【０００４】
揮発性物質処理（ＡＶＴ）は、ｐＨ調整剤のアンモニアと酸素除去剤のヒドラジンで水質調整を行い、溶存酸素濃度を低く保持し腐食を防止する方法であり、マグネタイトを主体とするスケールが生成される。マグネタイトが主体のスケールは、ボイラ内壁面に波状に成長し、ボイラの差圧上昇が起こりやすいため、化学洗浄の間隔も３〜５年と短い。マグネタイトが主体のスケールを化学洗浄する場合に発生するスラッジに含まれる粒子の平均粒子径は、２０μｍ〜４０μｍ程度である。このスラッジはボイラ内に残留すると、起動時のクリーンアップでの水質が悪化し、浄化のための使用水量が増加するため、コストアップにつながってしまう。
【０００５】
酸素処理は、高濃度の水中で、難溶解性の酸化物を鋼の表面上に密着させて適切に保持することによって、その後の鋼の腐食及び腐食生成物の水中への溶出を抑制する方法である。中性水処理は中性の水に溶存酸素を共存させる方法であり、複合水処理はアンモニアによってｐＨを８．０〜９．３の弱アルカリ性の条件において溶存酸素を共存させる方法である。酸素処理は、揮発性物質処理の問題であるボイラ差圧やスケールの成長を抑制することができる。酸素処理で発生するスケールは、パウダースケールといわれるヘマタイト主体の外層と、揮発性処理のスケールに近いマグネタイト主体の内層との二層構造になる。スケールの成長が遅く、波状にも成長しないため、化学洗浄の間隔は１０年程度に延伸できるとされている。しかし、このパウダースケールは化学洗浄で微細化し、粒子径１μｍ〜２０μｍ程度の微粒子として、難溶解性のスラッジを構成することになる。
【０００６】
このパウダースケールおよびそのスラッジは、一般的な化学洗浄液の組成（クエン酸＋グリコール酸＋還元剤）と温度（８０℃〜９０℃）における溶解性は小さいため、洗浄液中に残留することになる。これが洗浄後のボイラ内に残留し、起動後の火炉壁管内面に付着し、火炉壁管メタル温度の上昇や蒸気側のエロージョンの要因となっている。（非特許文献１）
【０００７】
上記の懸念から、化学洗浄時にスラッジをなるべく除去するというニーズは高く、様々な技術が提案されている。
【０００８】
たとえば、揮発性物質処理（ＡＶＴ）ボイラの化学洗浄方法として、洗浄用酸液を被洗浄部分に循環させる際に、循環路の途中に磁石を備えたスラッジ捕捉手段を用いて除去する方法（特許文献１）、薬液が循環する管系に遠心分離器を併設して未溶解物質を除去する方法（特許文献２）が提案されている。
【０００９】
特許文献１の方法では、マグネタイトのような強磁性のスラッジは除去できるが、ヘマタイトのような常磁性のスラッジは除去できない。特許文献２の方法では、遠心分離器を用いてスラッジの分離を行うので、その分級能力は小さく、３０μｍ程度が限度であり、微細なヘマタイトのスラッジ（１μｍ〜２０μｍ）はほとんど除去できない。
【００１０】
また、スラッジの回収にフィルタを使用する化学洗浄方法が提案されている（特許文献３）。特許文献３には、１０μｍ前後の粒径のスラッジを回収するために粒径２．５μｍ以下のろ過能力を有するプリーツ型メンブランフィルタ又は中空糸フィルタを用いることが開示されている。特許文献３の実施例によれば、洗浄液の循環流量は４００ｍ３／ｈ、ろ過面積は１５０ｍ２とあり、例えば標準の３Ｓプリーツフィルタ（７５ｃｍ）を用いる場合には１０７本を要することになり、破瓜後のフィルタは廃棄することになるから、廃棄物が大量に発生することになり、実用的ではない。
【００１１】
さらに、酸素処理ボイラの化学洗浄方法として、遠心分離機による粗固形物の除去と、フィルタ又は膜ろ過による微固形物の除去とを組み合わせる方法が提案されている（特許文献４）。
【００１２】
特許文献４には、酸素処理ボイラの化学洗浄で発生する固形物量は、揮発性処理ボイラの化学洗浄で発生する固形物量の２倍以上であること、粒径が２０μｍを越える粗固形物は２１％及び２９％であること、洗浄液中の固形物濃度は６００ｍｇ／ｌ及び１２００ｍｇ／ｌであることが記載されている。例えば、洗浄液中の固形物濃度が６００ｍｇ／Ｌである場合、遠心分離機で粗粒子として２１％が除去されたとすると、フィルタ又は膜ろ過で捕集すべき微粒子は４７４ｍｇ／Ｌとなる。洗浄液の総量が４００ｍ３の場合には、総量１８９．６ｋｇの微粒子を捕集することになる。特許文献４にはフィルタの具体例が記載されていないが、例えば標準の３Ｓプリーツフィルタ（７５ｃｍ）を用いると、ヘマタイトのろ過比抵抗と孔径から捕集能力は最大４００ｇ／ｍ２程度であり、３００ｍ２のろ過面積が必要となるから、３Ｓプリーツフィルタの必要数は２００本にもなり、大量の廃棄物が発生し、実用的でない。
【００１３】
特許文献４では、遠心分離後の液の一部だけ（５０〜７５％）をフィルタまたは膜ろ過で捕集し、残液はボイラに供給するとしており、残液中の微粒子が４７４ｍｇ／Ｌの場合には、最大１１８．５ｍｇ／Ｌ〜２３７ｍｇ／Ｌの微粒子が洗浄液の循環によりボイラ内に再度戻されることになる。粒径２０μｍ以下の微粒子は洗浄液に対して難溶解性であるため、ボイラの低流速部分に滞留する可能性が高く、非特許文献１によれば、パウダースケールとして火炉壁管メタル温度上昇の要因となる。
【先行技術文献】
【特許文献】
【００１４】
【特許文献１】特開公５１−４０５３２号公報
【特許文献２】特開昭５９−１５７４９６号公報
【特許文献３】特開平９−１１８９９３号公報
【特許文献４】特許５５６９２１７号公報
【非特許文献】
【００１５】
【非特許文献１】「火力プラント水処理：酸素処理の適用実績とパウダースケール付着対策の紹介」三菱重工技報  Vol.49 No.1 (2012)
【発明の概要】
【発明が解決しようとする課題】
【００１６】
本発明は、上記従来技術の問題点を解消し、ボイラ再稼働時の妨げとなるパウダースケールに代表されるスラッジの微粒子を、負荷が小さくかつ廃棄物も少ない方法で捕集し、洗浄後のボイラを清浄に保持することができる、化学洗浄方法及び粒子捕集装置を提供することを目的とする。
【課題を解決するための手段】
【００１７】
本発明によれば、下記の化学洗浄方法及び粒子捕集装置が提供される。
［１］洗浄対象物に洗浄薬剤を循環させる化学洗浄方法であって、
洗浄対象物に洗浄薬剤を注入し、洗浄対象物に固着している金属酸化物を溶解又は剥離させ、
剥離した金属酸化物の粒子、溶解した金属イオン及び洗浄薬剤を含む洗浄循環液の全量を、単一の金属線条又は複数の金属線条の集合体を設置した洗浄循環液流路及び当該金属線条を磁化する超伝導磁石を含む粒子捕集装置に通液して、磁化された当該金属線条に当該粒子を磁気的に吸着させて除去した後、洗浄対象物に再循環させる、
ことを特徴とする化学洗浄方法。
［２］前記洗浄循環液の全量を前記粒子捕集装置に通液する前に、前記洗浄循環液の全量を遠心分離処理して金属酸化物の粗粒子を除去し、金属酸化物の微粒子、金属イオン及び洗浄薬剤を含む洗浄循環液の全量を前記微粒子捕集装置に通液することを特徴とする、［１］に記載の化学洗浄方法。
［３］前記粒子捕集装置にて捕集される粒子は、強磁性、常磁性又はこれらの組み合わせから選択される磁性粒子であることを特徴とする、［１］または［２］に記載の化学洗浄方法。
［４］前記強磁性の微粒子はマグネタイトを含むことを特徴とする、［３］に記載の化学洗浄方法。
［５］前記常磁性の微粒子はヘマタイトを含むことを特徴とする、［３］に記載の化学洗浄方法。
［６］前記洗浄対象物は、給水処理に酸素処理を適用しているボイラであることを特徴とする、［１］〜［５］のいずれか１に記載の化学洗浄方法。
［７］前記粗粒子は粒径が２０μｍよりも大きく４０μｍ以下の粒子であり、前記微粒子は粒径が２０μｍ以下の粒子であることを特徴とする、［２］〜［６］のいずれか１に記載の化学洗浄方法。
［８］洗浄対象物に洗浄薬剤を循環させる化学洗浄方法において用いる粒子捕集装置であって、
単一の金属線条又は複数の金属線条の集合体を装填した洗浄循環液流路及び当該金属線条を磁化する超伝導磁石を含むことを特徴とする粒子捕集装置。
【発明の効果】
【００１８】
本発明の化学洗浄方法によれば、揮発性物質処理（ＡＶＴ）を行なうボイラにおけるスケールの主成分であり、酸素処理を行なうボイラにおけるパウダースケールの一部に含有され、また内層スケールの主成分である強磁性体のマグネタイト（Ｆｅ３Ｏ４）ばかりでなく、酸素処理を行なうボイラにおけるパウダースケールの主成分であり、外層スケールである常磁性体のヘマタイト（Ｆｅ２Ｏ３）をも効率的に分離除去することができ、マグネタイト及びヘマタイトをボイラに再循環することを防止できる。
【００１９】
従来の電磁フィルタ（電磁石）や通常の磁石を用いる化学洗浄方法では、常磁性体を吸着除去できる程の磁力を印加することができず、パウダースケールの回収は困難であった。本発明では、単一の金属線条又は複数の金属線条の集合体を装填した洗浄循環液流路及び当該金属線条を磁化する超伝導磁石を含むことを特徴とする粒子捕集装置を用いて、常磁性体を吸着できる程度に金属線条の磁力を強めることができる。
【００２０】
金属線条は、フィルタと異なり、目詰まりしないため、稼働期間を長期化することができ、廃棄物を大幅に減量することができる。中空糸フィルタや膜ろ過による従来の粒子捕集方法では、例えば酸素処理ボイラ化学洗浄の微粒子スラッジの捕集には少なくとも１〜５μｍの孔径が必要であり、細孔のため初期圧損が高く、フィルタ体積当たりのろ過面積も大きく取れないため装置規模がかなり大きくなるか、洗浄中のフィルタ交換が必要であった。本発明の粒子捕集装置は、磁気的に吸着するために、粒子の粒径にかかわらず粒子を捕集でき、初期圧損も小さい。
【００２１】
また、金属線条に磁気的に吸着された強磁性体も磁化されて、金属線条の磁力はさらに強化され、洗浄が進行するにつれて常磁性体に対する吸着力が強くなり、一旦吸着された常磁性体の微粒子が洗浄循環液の通水によって剥離されることが防止される。
【００２２】
従来のプリーツフィルタ等による膜ろ過では、フィルタの最大捕集量までスラッジを捕集した場合、通液を停止するとスラッジが脱離して、装置底部に滞留してしまい回収が困難になる。このため、フィルタを逆洗型にしてスラッジを含む液を系外に排出したり、送液停止後に底部から液抜きを行いフィルタ缶体の液を空にしてからフィルタを交換する必要があり、廃液が増加したり操作に時間を要していた。本発明の粒子捕集装置においては、スラッジが磁気的に吸着された金属線条を交換するだけでよいから、交換作業が極めて簡易で、逆洗も不要にできる。
【図面の簡単な説明】
【００２３】
【図１】本発明の化学洗浄方法を実施する一実施態様のフロー図である。
【図２】本発明の化学洗浄方法を実施する別の実施態様の説明図である。
【図３】本発明の化学洗浄方法にて用いる粒子捕集装置の一例を示す斜視図である。
【図４】図３の断面図である。
【図５】CWTスラッジ及びヘマタイトの質量磁化測定結果を示すグラフである。
【符号の説明】
【００２４】
１：酸素処理貫流ボイラ
２：ライン
３：粒子捕集装置
４：遠心分離ライン
５：遠心分離機
６：微粒子ライン
７：粗粒子ライン
８：粗粒子分離槽
９：戻りライン
１０：ポンプ
１１：循環ライン
３１：洗浄循環液流路
３２：金属線条
３３：超伝導磁石
３５：真空容器
３６：冷凍機
３７：導線
【発明を実施するための形態】
【００２５】
以下、添付図面を参照しながら本発明を詳細に説明するが、本発明はこれらに限定されるものではない。
【００２６】
図１は、本発明の化学洗浄方法を酸素処理貫流ボイラに適用した一例を示すフロー図である。貫流ボイラ１には、循環ライン１１から化学洗浄薬剤を含む洗浄循環液が供給される。貫流ボイラ１内に流入した洗浄循環液により、貫流ボイラ１の内壁に形成されているスケールが溶解又は剥離され、スラッジとなる。スケールに由来する金属イオン及び酸化金属粒子を含むスラッジは洗浄循環液に随伴され、全量がライン２を介して貫流ボイラ１から粒子捕集装置３に送られる。粒子捕集装置３内の洗浄循環液流路３１に装填されている磁化された金属線条３２に、金属イオン及び酸化物金属粒子を含むスラッジは磁気的に吸着されて除去される。粒子捕集装置３を通過したスラッジ除去後の洗浄循環液は、循環ライン１１を介して再び貫流ボイラ１に流入する。
【００２７】
図２は、本発明の化学洗浄方法の図１の実施態様において、粒子捕集装置３の前段に遠心分離機５を設けた一例のフロー図である。貫流ボイラ１には、循環ライン１１から化学洗浄薬剤を含む洗浄循環液が供給される。貫流ボイラ１内に流入した洗浄循環液により、貫流ボイラ１の内壁に形成されているスケールが溶解又は剥離され、スラッジとなる。スケールに由来する金属イオン及び酸化金属粒子を含むスラッジは洗浄循環液に随伴され、全量が遠心分離ライン４を介して遠心分離機５に送られる。遠心分離機５において、粒径２０μｍを越える粗粒子と粒径２０μｍ以下の微粒子とに分級され、粗粒子は遠心分離機５の底部にて濃縮され、粗粒子ライン７を介して粗粒子分離槽８に送られ、沈降して回収される。粗粒子分離槽８の上澄液は、戻りライン９を介して循環ポンプ１０により循環ライン１１を経由して貫流ボイラ１に再び流入する。遠心分離により粗粒子が除去された微粒子を含む洗浄循環液は全量が遠心分離機５の上部から微粒子ライン６を介して粒子捕集装置３に送られる。粒子捕集装置３内の洗浄循環液流路３１に装填されている磁化された金属線条３２に、金属イオン及び酸化物金属粒子を含むスラッジは磁気的に吸着されて除去される。粒子捕集装置３を通過したスラッジ除去後の洗浄循環液は、循環ライン１１を介して再び貫流ボイラ１に流入する。遠心分離機５および粗粒子分離槽８を設置すると、スラッジの全量を粒子捕集装置３内の金属線条のみで捕集する場合よりも、金属線条における捕集量が少なくなり、金属線条の交換頻度を低下させることができる。
【００２８】
図３及び図４を参照しながら、粒子捕集装置３について説明する。粒子捕集装置３は、図示した形態において円筒形の真空容器３５の中心部を貫通する洗浄循環液流路３１が設けられている。洗浄循環液流路３１内部には、金属線条３２が装填されている。真空容器３５内には、洗浄循環液流路３１の周囲に、超伝導磁石（ソレノイドコイル）３３が設けられている。超伝導磁石３３には、真空容器３５の外部に設置されている冷凍機３６より４Ｋ近傍の冷熱が提供され、冷却される。超伝導磁石３３には、外部の電源より電荷を印加するための導線３７が接続されている。真空容器３５には、超伝導磁石３３からの磁力を遮蔽する磁気シールドが設けられている。粒子捕集装置３は、たとえばＮｂ３Ｓｎ内層コイル及びＮｂＴｉ外層コイルを用いた無冷媒型超電導マグネットを利用して、中央の貫通開口部に配管を着脱自在に設置もしくは接続して、洗浄循環液流路３１を形成したものでもよい。
【００２９】
洗浄循環液流路３１に装填する金属線条は、単一の金属線条若しくは複数の金属線条の集合体である。金属線条は、粒子を吸着するために表面積が大きいほど好ましい。金属線条は、直線状でも曲線状でもプリーツ形状でもよく、金属束子状の集合体がより好ましく、形状巻縮加工や表面凹凸加工が施されていてもよい。金属線条の線径は、１ｍｍ以下、好ましくは０．５ｍｍ以下、より好ましくは０．３ｍｍ以下、さらに好ましくは０．１ｍｍ以下である。線径が小さい程、磁束の勾配が大きくなり、常磁性体を吸着するために十分な磁力にまで磁化されやすい。金属線条の材質としては、洗浄薬剤に対する耐蝕性があり、磁化可能な金属であれば特に制限なく用いることができるが、強磁性体であることがより好ましく、例えばＳＵＳ４３０などのステンレススチールを好適に挙げることができる。強磁性体の金属線条を用いることにより、超伝導磁石により磁化された後、金属線条自体の磁化が持続する。
【００３０】
超伝導磁石による印加磁場（磁束密度）は大きいほど強磁性体および常磁性体を捕集できる。磁場の強さは２Ｔ（テスラ）〜１５Ｔが好ましく、より好ましくは、６Ｔ〜１０Ｔである。
【００３１】
本発明において、粒子捕集装置３内に装填される金属線条の交換は極めて簡易である。洗浄循環液を抜く必要もなく、捕集したスラッジを脱離させる必要もなく、金属線条ごと回収することができる。次に同様の新品の金属線条を装填するだけで粒子捕集装置として復帰できるため、系外に排出する廃液は存在しない。
【００３２】
本発明の化学洗浄方法及び粒子捕集装置において、洗浄薬剤は特に限定されない。通常の化学洗浄方法に用いられる有機混酸（クエン酸＋グリコール酸）及び酸性乃至アルカリ性の薬液を制限無く用いることができる。また、化学洗浄工程だけでなく、その後の水洗工程、リンス工程、中和工程、防錆工程、最終水洗工程の任意の１以上の工程に適用できる。
【００３３】
本発明の化学洗浄方法及び粒子捕集装置の適用温度範囲は、洗浄循環液が循環できる温度範囲であれば特に制限されず、典型的には０℃〜１５０℃である。
また、図示した実施形態において、ボイラは酸素処理貫流ボイラとしたが、洗浄対象物はこれに限定されるものではなく、揮発性物質処理ボイラをはじめ、一般的に化学洗浄方法が適用されている洗浄対象物すべてに適用できる。
【実施例】
【００３４】
以下、本発明を実施例より具体的に説明するが、本発明はこれらに限定されない。
【００３５】
［参考例］
ＣＷＴ処理を行ったボイラ蒸発管の実スケールを剥離させ、物理特性測定装置（PPMS,日本カンタムデザイン株式会社）を用いて質量磁化の測定を行った結果を表１に示す。
【表１】
2018069131.tif 000003
【００３６】
ＣＷＴ実スケールの前処理としては、ワイヤブラシで物理的にＣＷＴスケールを剥離させて、ふるいで混入したワイヤを除去後、有機混酸（クエン酸＋グリコール酸）８％＋還元剤の混合液に投入し、９０℃で３０分間撹拌を行った。その試料の質量磁化を測定した。
【００３７】
強磁性体では、外部磁場を上昇させると測定値である質量磁化は図５に示すように初期に急激な上昇をみせ、やがて磁化が飽和に到達するのが特徴である。一方、ヘマタイトのような常磁性体では、外部磁場を掛けても質量磁化上昇の傾きは小さく、磁化が飽和しないのが特徴である。ＣＷＴの実スケールは、内層スケールおよび外層スケール（パウダースケール）共に質量磁化が初期に急激な上昇を見せることが観測されたため、強磁性体の性質を持っていることが判明した。表１より、パウダースケールの１０，０００Ｏｅ（ほぼ１Ｔ）における質量磁化はマグネタイトと比較すると小さいが、ヘマタイトと比較するととても大きく、本発明の方法により、磁場を増加させることで、マグネタイトばかりでなくヘマタイトをも容易に回収できる。
【００３８】
［実施例１］
図３及び４に示す粒子捕集装置を用いて、金属線条３２として線径０.１ｍｍのＳＵＳ４３０ワイヤの集合体１ｇを洗浄循環液流路２に装填し、超伝導磁石３３に電荷を印加して、表１に示す印加磁場まで金属線条３２を磁化させた後、市販のマグネタイト試薬（液中平均粒子径１μｍ）２ｐｐｍ（ｍｇ／ｋｇ）の液を流速０.５ｍ／ｓで通水し、マグネタイトの捕集率を求めた。捕集量は、捕集後の金属線条の重量から初期重量を差し引き、通液量は回収した液量として算出した。
【表２】
2018069131.tif 000004
【００３９】
［実施例２］
市販のヘマタイト試薬（液中平均粒子径２μｍ）１０ｐｐｍ（ｍｇ／ｋｇ）の液を流速０.５ｍ／ｓで粒子捕集装置に通水した以外は実施例１と同様にして、ヘマタイトの捕集率を求めた。結果を表３に示す。
【表３】
2018069131.tif 000005
【００４０】
［実施例３］
実施例１で使用した市販のマグネタイト試薬（液中平均粒子径１μｍ）と実施例２で使用した市販のヘマタイト試薬（液中平均粒子径２μｍ）をそれぞれ２ｐｐｍ（ｍｇ／ｋｇ）及び１ｐｐｍ（ｍｇ／ｋｇ）となるように混合した液を表３に示す流速で通水した以外は実施例１及び２と同様にして、マグネタイト及びヘマタイトの合計の捕集率を求めた。結果を表４に示す。
【表４】
2018069131.tif 000006
【産業上の利用可能性】
【００４１】
本発明の化学洗浄方法及び粒子捕集装置では、従来の技術では捕集できなかったヘマタイトを、環境負荷が小さくかつ簡易に捕集できる。従来の技術では、ヘマタイトを捕集するには膜ろ過が必要であり、これはフィルタによる物理的な捕集であり、初期差圧も高く大量のフィルタが廃棄物となっていた。本発明では、超伝導磁石により金属線条に高磁場を持たせて磁力による捕集を行なうため、初期差圧はほぼ０であり、また金属線条の重量よりも十分多い粒子を脱落することなく且つ廃液を出さずに回収できる。また洗浄対象物であるボイラの種類によっては、遠心分離機および粗粒子分離槽およびそれに付随する配管が不要であり、環境負荷や仮設装置及び配管の規模を低減できる。また、酸素処理ボイラの化学洗浄で発生するパウダースケール由来のスラッジは、ヘマタイト主体であるがマグネタイトとの複合結晶であり強磁性体の性質を有するため、ヘマタイト単独の場合よりも本発明の化学洗浄方法及び粒子捕集装置による除去効果が大きい。
【図１】
2018069131.tif 000007
【図２】
2018069131.tif 000008
【図３】
2018069131.tif 000009
【図４】
2018069131.tif 000010
【図５】
2018069131.tif 000011